(57)【要約】【課題】潜熱回収で発生したドレンに含まれる有害物質に対し、触媒物質を利用して物質変化処理を施して排出する熱源装置、及びそのドレン排出処理方法に関する。【解決手段】  燃焼排気中の主として潜熱を回収し、その熱交換によってドレン（１６）を発生する熱交換器（二次熱交換器１２）を備える熱源装置（２）であって、前記ドレンを触媒物質（麦飯石１１４）を利用して処理する処理手段（ドレンタンク２６）と、処理後の前記ドレンを前記熱源装置外に排出する排出手段（ドレン排出管路２８）と、前記ドレンの処理手段による処理の開始から所定時間が経過した場合に、前記排出手段を制御し、前記排出手段に処理後の前記ドレンを排出させる制御部（制御装置１０４）とを備えた構成である。【選択図】図１
2009150605.tif 000002
【特許請求の範囲】
【請求項１】
燃焼排気中の主として潜熱を回収し、その熱交換によってドレンを発生する熱交換器を備える熱源装置であって、
前記ドレンを触媒物質を利用して処理する処理手段と、
処理後の前記ドレンを前記熱源装置外に排出する排出手段と、
前記ドレンの前記処理手段による処理の開始から所定時間が経過した場合に、前記排出手段を制御し、前記排出手段に処理後の前記ドレンを排出させる制御部と、
を備えたことを特徴とする熱源装置。
【請求項２】
請求項１記載の熱源装置において、
前記熱交換器側への通水量を抑制して、前記ドレンの発生を抑制させるドレン抑制手段と、
回収された前記ドレンを溜めるドレンタンクと、
前記ドレンタンク内に溜まった前記ドレンの水位を検出する水位検出手段と、
前記ドレンタンク内の前記ドレンを攪拌する攪拌手段と、
を備え、
前記制御部は、前記水位検出手段が所定水位を検出した場合、前記ドレンの処理モードに移行し、前記ドレン抑制手段に前記熱交換器側への通水量を抑制させるとともに、前記攪拌手段を動作させることを特徴とする熱源装置。
【請求項３】
請求項２記載の熱源装置において、
前記熱源装置の燃焼手段の燃焼状態を監視する燃焼監視手段を備え、
前記制御部は、前記燃焼監視手段により前記燃焼手段が停止中である場合に、前記ドレンの処理モードに移行することを特徴とする熱源装置。
【請求項４】
請求項２記載の熱源装置において、
前記制御部は、前記ドレンの処理の開始から所定時間が経過する前に、前記燃焼手段への動作要求があった場合には、前記ドレンの処理モードを解除し、前記攪拌手段を停止させることを特徴とする熱源装置。
【請求項５】
請求項１、２、３又は４記載の熱源装置において、
前記制御部は時刻情報を有し、所定の開始時刻になった場合、前記ドレンの処理を実行させることを特徴とする熱源装置。
【請求項６】
請求項５記載の熱源装置において、
前記制御部は、直前のドレン排出処理の実行時刻情報を記憶し、該時刻情報に応じて次回の前記ドレンの処理の開始時刻を決定することを特徴とする熱源装置。
【請求項７】
請求項１、２、３、４、５又は６記載の熱源装置において、
前記ドレンの物質変化に利用する前記触媒物質は麦飯石であることを特徴とする熱源装置。
【請求項８】
燃焼排気中の主として潜熱を回収し、その熱交換によってドレンを発生する熱交換器を備える熱源装置のドレン排出処理方法であって、
前記ドレンを触媒物質を利用して処理するステップと、
処理後の前記ドレンを排出手段により前記熱源装置外へと排出させるステップと、
前記ドレンの処理手段による処理の開始から所定時間が経過した場合に、前記排出手段を制御し、前記排出手段に処理後の前記ドレンを排出させるステップと、
を含むことを特徴とする熱源装置のドレン排出処理方法。
【請求項９】
請求項８記載の熱源装置のドレン排出処理方法において、
前記熱交換器側への通水量を抑制して、前記ドレンの発生を抑制させるステップと、
回収された前記ドレンをドレンタンクに溜めるステップと、
前記ドレンタンク内に溜まった前記ドレンの水位を水位検出手段で検出するステップと、
前記ドレンタンク内の前記ドレンを攪拌手段により攪拌するステップと、
を含み、
前記制御部は、前記水位検出手段が所定水位を検出した場合、前記ドレンの処理モードに移行し、前記熱交換器側への通水量を抑制させるとともに、前記ドレンを攪拌させることを特徴とする熱源装置のドレン排出処理方法。
【請求項１０】
請求項９記載の熱源装置のドレン排出処理方法において、
前記熱源装置の燃焼手段の燃焼状態を検出するステップを含み、
前記制御部は、前記燃焼手段が停止中であることを検出した場合に、前記ドレンの処理モードに移行することを特徴とする熱源装置のドレン排出処理方法。
【請求項１１】
請求項９又は１０記載の熱源装置のドレン排出処理方法において、
前記制御部は、前記ドレンの処理の開始から所定時間が経過する前に、前記燃焼手段への動作要求があった場合には、前記ドレンの処理モードを解除し、前記攪拌手段を停止させることを特徴とする熱源装置のドレン排出処理方法。
【請求項１２】
請求項８、９、１０又は１１記載の熱源装置のドレン排出処理方法において、
前記制御部は、時刻情報を有し、所定の開始時刻になった場合、前記ドレンの処理を実行させることを特徴とする熱源装置のドレン排出処理方法。
【請求項１３】
請求項１２記載の熱源装置のドレン排出処理方法において、
前記制御部は、直前のドレン排出の実行時刻情報を記憶し、該時刻情報に応じて次回の前記ドレンの処理の実行時刻を決定することを特徴とする熱源装置のドレン排出処理方法。
【発明の詳細な説明】
【技術分野】
【０００１】
本発明は、潜熱回収型の熱交換器を利用する熱源装置のドレン排出処理に関し、特にドレンに残留するホルムアルデヒド等の有害物質を物質変化させて排出する熱源装置に関する。
【背景技術】
【０００２】
従来、潜熱回収型の熱交換器を用いる給湯装置等では、熱交換によって発生したドレンの処理について、専用の配管により装置外部へと排出するのではなく、既存の配管を利用し、例えば、浴槽等へと排出するものがある。
【０００３】
このように、給湯装置内部での潜熱回収により発生したドレンを追焚配管を利用して浴槽側へと排出するものであって、発生したドレンを回収するドレン受けを備え、所定量以上のドレンが溜まると、浴槽水位に応じて追焚配管を利用して浴槽へと排出する給湯器として、特許文献１には「潜熱回収型給湯器」がある。
【特許文献１】特開２００３−４２５６６公報
【発明の開示】
【発明が解決しようとする課題】
【０００４】
ところで、潜熱回収により発生したドレンは強酸性であり、環境等への影響を考慮し、中和処理を施す必要があるとともに、このドレン内には、バーナを燃焼させる燃料ガスに含まれている成分により、メタン系の燃焼生成物として、例えばホルムアルデヒド等が含まれる場合がある。
【０００５】
このようにドレンの排出に浴槽等を利用する構成において、浴槽の排水栓が開放されている場合にのみドレンの排出を行うことで、全てのドレンが下水へと排水されるはずであるが、完全とは言えず、ドレンが浴槽水に混入するおそれがある。
【０００６】
このような不都合について、特許文献１には開示や示唆は無く、それを解決する構成等についての記載もない。
【０００７】
そこで、本発明の目的は、潜熱回収により発生したドレンに含まれるホルムアルデヒド等を物質変化させてドレンを無害化し、浴槽水への有害物質の混入を防止することにある。
【０００８】
本発明の他の目的は、ドレンの物質変化に必要な時間が経過するまで、ドレンの排出制御をすることで、ドレンの物質変化処理の適正化を図ることにある。
【０００９】
また、本発明の他の目的は、無害化処理の実行時間の適正化及び浴槽排水処理のタイミングの適正化を図ることにある。
【００１０】
また、本発明の他の目的は、ドレンの排出を浴槽水の排水タイミングに合わせつつ、ドレン発生抑制による熱の回収効率の向上を図ることにある。
【課題を解決するための手段】
【００１１】
そこで、上記目的を達成するため、本発明の熱源装置では、ドレンに含まれているホルムアルデヒド等に対して物質変化を促す触媒物質を装填したドレンタンクにドレンを溜め、必要時間が経過した後、排水させる構成である。また、ドレンの物質変化処理中には、新たなドレンの混入を防止するため、ドレンの抑制制御を行う構成である。斯かる構成により、浴槽を利用したドレンの排水に関し、浴槽水に有害物質を含んだドレンが混入するのを防止できる。また、ドレンの処理を確実に行うことができる。
【００１２】
そこで、上記目的を達成するため、本発明の第１の側面は、燃焼排気中の主として潜熱を回収し、その熱交換によってドレンを発生する熱交換器を備える熱源装置であって、前記ドレンを触媒物質を利用して処理する処理手段と、処理後の前記ドレンを前記熱源装置外に排出する排出手段と、前記ドレンの前記処理手段による処理の開始から所定時間が経過した場合に、前記排出手段を制御し、前記排出手段に処理後の前記ドレンを排出させる制御部とを備える構成である。斯かる構成により、上記目的を達成することができる。
【００１３】
上記目的を達成するためには、熱源装置において、好ましくは、前記熱交換器側への通水量を抑制して、前記ドレンの発生を抑制させるドレン抑制手段と、回収された前記ドレンを溜めるドレンタンクと、前記ドレンタンク内に溜まった前記ドレンの水位を検出する水位検出手段と、前記ドレンタンク内の前記ドレンを攪拌する攪拌手段とを備え、前記制御部は、前記水位検出手段が所定水位を検出した場合、前記ドレンの処理モードに移行し、前記ドレン抑制手段に前記熱交換器側への通水量を抑制させるとともに、前記攪拌手段を動作させる構成としてもよい。斯かる構成によっても、上記目的を達成することができる。
【００１４】
上記目的を達成するためには、熱源装置において、好ましくは、前記熱源装置の燃焼手段の燃焼状態を監視する燃焼監視手段を備え、前記制御部は、前記燃焼監視手段により前記燃焼手段が停止中である場合に、前記ドレンの処理モードに移行する構成としてもよい。斯かる構成によっても、上記目的を達成することができる。
【００１５】
上記目的を達成するためには、熱源装置において、好ましくは、前記制御部は、前記ドレンの処理の開始から所定時間が経過する前に、前記燃焼手段への動作要求があった場合には、前記ドレンの処理モードを解除し、前記攪拌手段を停止させる構成としてもよい。斯かる構成によっても、上記目的を達成することができる。
【００１６】
上記目的を達成するためには、熱源装置において、好ましくは、前記制御部は時刻情報を有し、所定の開始時刻になった場合、前記ドレンの処理を実行させる構成としてもよい。斯かる構成によっても、上記目的を達成することができる。
【００１７】
上記目的を達成するためには、熱源装置において、好ましくは、前記制御部は、直前のドレン排出処理の実行時刻情報を記憶し、該時刻情報に応じて次回の前記ドレンの処理の開始時刻を決定する構成としてもよい。斯かる構成によっても、上記目的を達成することができる。
【００１８】
上記目的を達成するためには、熱源装置において、好ましくは、前記ドレンの物質変化に利用する前記触媒物質は麦飯石である構成としてもよい。斯かる構成によっても、上記目的を達成することができる。
【００１９】
そこで、上記目的を達成するため、本発明の第２の側面は、燃焼排気中の主として潜熱を回収し、その熱交換によってドレンを発生する熱交換器を備える熱源装置のドレン排出処理方法であって、前記ドレンを触媒物質を利用して処理するステップと、処理後の前記ドレンを排出手段により前記熱源装置外へと排出させるステップと、前記ドレンの処理手段による処理の開始から所定時間が経過した場合に、前記排出手段を制御し、前記排出手段に処理後の前記ドレンを排出させるステップとを含む構成である。斯かる構成により、上記目的を達成することができる。
【００２０】
上記目的を達成するためには、熱源装置のドレン排出処理方法において、好ましくは、前記熱交換器側への通水量を抑制して、前記ドレンの発生を抑制させるステップと、回収された前記ドレンをドレンタンクに溜めるステップと、前記ドレンタンク内に溜まった前記ドレンの水位を水位検出手段により検出するステップと、前記ドレンタンク内の前記ドレンを攪拌手段により攪拌するステップとを含み、前記制御部は、前記水位検出手段が所定水位を検出した場合、前記ドレンの処理モードに移行し、前記熱交換器側への通水量を抑制させるとともに、前記ドレンを攪拌させる構成としてもよい。斯かる構成によっても、上記目的を達成することができる。
【００２１】
上記目的を達成するためには、熱源装置のドレン排出処理方法において、好ましくは、前記熱源装置の燃焼手段の燃焼状態を検出するステップを含み、前記制御部は、前記燃焼手段が停止中であることを検出した場合に、前記ドレンの処理モードに移行する構成としてもよい。斯かる構成によっても、上記目的を達成することができる。
【００２２】
上記目的を達成するためには、熱源装置のドレン排出処理方法において、好ましくは、前記制御部は、前記ドレンの処理の開始から所定時間が経過する前に、前記燃焼手段への動作要求があった場合には、前記ドレンの処理モードを解除し、前記攪拌手段を停止させる構成としてもよい。斯かる構成によっても、上記目的を達成することができる。
【００２３】
上記目的を達成するためには、熱源装置のドレン排出処理方法において、好ましくは、前記制御部は、時刻情報を有し、所定の開始時刻になった場合、前記ドレンの処理を実行させる構成としてもよい。斯かる構成によっても、上記目的を達成することができる。
【００２４】
上記目的を達成するためには、熱源装置のドレン排出処理方法において、好ましくは、前記制御部は、直前のドレン排出の実行時刻情報を記憶し、該時刻情報に応じて次回の前記ドレンの処理の実行時刻を決定する構成としてもよい。斯かる構成によっても、上記目的を達成することができる。
【発明の効果】
【００２５】
本発明によれば、次の効果が得られる。
【００２６】
(1) ドレンの無害化処理を行うとともに、浴槽排水のタイミングに合わせてドレンの排出処理を行うので、浴槽水に有害物質が混入するのを防止できる。
【００２７】
(2) ドレンタンクに溜めたドレンを強制的に攪拌処理することで、ホルムアルデヒドの物質変化をより促進させることができ、より確実にドレンの無害化を図ることができる。
【００２８】
(3) 物質変化処理中にドレンの発生を抑制させることで、ドレンタンク内へのドレンの混入を防止できるので、ドレンの無害化を確実に行うことができる。
【００２９】
(4) ドレンの排出処理に時刻条件を考慮し、個別の熱源装置の使用時間帯に応じて、物質変化処理の実行開始時間を決定することで、物質変化処理の実行時間を確保することができる。
【００３０】
(5) 物質変化処理からドレン排出までの間にドレンの発生抑制を行っても、熱交換効率の低下を最小限に抑えることが可能となる。
【発明を実施するための最良の形態】
【００３１】
〔第１の実施の形態〕
【００３２】
本発明の第１の実施の形態に係る熱源装置ついて、図１を参照する。図１は、熱源装置の構成を示す図である。なお、図１に示された熱源装置は一例であって、この構成に本発明が限定されるものではない。
【００３３】
熱源装置２は、その内部に給湯用の熱交換を行う給湯燃焼室４と、浴槽６内の浴槽水ＢＷを追焚する追焚燃焼室８とを備えている。給湯燃焼室４は、燃焼排気ガス中の主として顕熱と熱交換する一次熱交換器１０と、燃焼排気ガス中の主として潜熱と熱交換する二次熱交換器１２とを備えており、追焚燃焼室８は、燃焼排気ガス中の主として顕熱と熱交換を行う追焚用熱交換器１４を備えている。これらの熱交換器は、双方向運転又は単独運転のいずれの運転形態でも運転が可能であり、一方の機能を他方で活用する機能として、給湯用の一次熱交換器１０と二次熱交換器１２とで加熱した湯を浴槽６へと湯張りすることが可能である。
【００３４】
この二次熱交換器１２において、燃焼排気ガス中の潜熱を回収する際に、排気ガス中の水蒸気が凝縮して、不用水であるドレン１６が発生する。また、既述のように、このドレン１６は強酸性であるとともに、燃料ガスに含まれている成分により、メタン系の燃焼生成物として、例えばホルムアルデヒド等が含まれている。
【００３５】
この発生したドレン１６の処理手段として、給湯燃焼室４には、二次熱交換器１２の下部側にドレン１６を回収するドレン受け１８が設置されている。そして、回収されたドレン１６は、ドレン排出手段の一部であるドレン管路２０を通じて給湯燃焼室４外へと導かれる。このドレン管路２０は、熱源装置２の内に配置された中和器２２に接続されている。この中和器２２には、強酸性のドレン１６を中和する中和剤２４として、例えば炭酸カルシウム等が装填されている。
【００３６】
なお、中和器２２における中和方法及び中和手段は、これに限られたものではなく、ドレン１６のｐＨ（ペーハー）を中性値に近づけるものであればどのような構成であってもよい。
【００３７】
また、ドレン管路２０には、中和後のドレン１６を溜めるドレンタンク２６が設置されている。このドレンタンク２６は、回収したドレン１６を後述する排出タイミングになるまで溜めるとともに、後述するようにドレン１６中に含まれるホルムアルデヒドを物質変化させる処理槽として用いる。また、ドレンタンク２６の下部側には、溜められたドレン１６を熱源装置２の排出側へと導くドレン排出管路２８が接続されている。このドレン排出管路２８には、ドレン１６の逆流を防止するための逆止弁２９が備えられている。
【００３８】
次に、熱源装置２の給湯機能の配管構成について説明する。
【００３９】
熱源装置２には、給水口３０から上水Ｗを給湯燃焼室４側へと導く給水管路３２が備えられている。この給水管路３２には、供給された上水Ｗの流量を検出する流量センサ３４や、水温を検出する入水温センサ３６が設置されている。また、給水管路３２は、供給された上水Ｗを給湯燃焼室４内の二次熱交換器１２側とバイパス管路３８側とに分流させる流量切替弁４０に接続されている。この流量切替弁４０は、例えば、二次熱交換器１２側とバイパス管路３８側とに対する上水Ｗの供給量を任意に、もしくは所定の分配比率に調整する流量調整手段であり、また、後述するドレン１６の発生を抑制するドレン抑制手段の一部を構成する。
【００４０】
また、バイパス管路３８は、後述するドレン１６の発生を抑制するドレン抑制処理に用いられ、バイパス管路３８に流入させた上水Ｗは、二次熱交換器１２で加熱された上水Ｗと合流して、一次熱交換器１０へと流入する。
【００４１】
このような構成により、例えば流量切替弁４０を制御して、通常の潜熱回収を行う際はバイパス管路３８には通水させず、ドレン１６の発生抑制時には、二次熱交換器１２内部の沸騰や空焚きを防止するため、供給された上水Ｗの一部を二次熱交換器１２側に流し、残りの上水Ｗをバイパス管路３８側に流すように制御している。
【００４２】
そして、一次熱交換器１０で加熱された上水Ｗは、高温の湯ＨＷとなり、一次熱交換器１０の出口側に構成された給湯管路４２に流され、給湯口４３へと至る。この給湯管路４２には、熱交換後の湯ＨＷの温度を検出する出湯温センサ４４や、給水管路３２に接続されて、供給された上水Ｗの一部を給湯管路４２内に流して湯ＨＷに合流させて給湯設定温度に対する応答性を高める一次バイパス管路４６が接続されている。一次バイパス管路４６上には、上水Ｗの給水量を制御するバイパス水制御弁４８が設置されている。
【００４３】
さらに、給湯管路４２上には、給湯量を制御する水制御弁５０や、温度調整された湯ＨＷの温度を検出する混合温センサ５２が設置されている。また、給湯管路４２には、湯ＨＷを浴槽６側へと注湯する注湯管路５４が接続されている。この注湯管路５４上には、浴槽６側への注湯量の調整を行う注湯電磁弁５６、注湯量を検出する注湯量センサ５８、給湯側と浴槽水ＢＷとを縁切りする手段である逆止弁６０が設置されている。
【００４４】
次に、熱源装置２の浴槽水ＢＷの追焚機能の配管構成について説明する。
【００４５】
浴槽６には、浴槽水ＢＷを追焚燃焼室８側へと導いて、追焚用熱交換器１４で熱交換させ、再び浴槽６へと戻す追焚回路６２が備えられている。この追焚回路６２と浴槽６との接続部分には循環アダプタ６４が取り付けられており、浴槽水ＢＷを追焚回路６２へと流入させ、又は浴槽６へと流出させるコネクタの役割を果たしている。また、追焚回路６２には、循環手段である追焚循環ポンプ６６、追焚回路６２内の流水を検知する流水スイッチ６８、風呂入温度センサ７０、風呂出温度センサ７２、浴槽６内にある浴槽水の水位を検出する風呂水位センサ７４が設置されている。さらに、追焚回路６２には、既述の注湯管路５４が接続されており、給湯機能側から湯ＨＷを追焚回路６２を介して浴槽６へと注湯する構成である。
【００４６】
なお、図１では、浴槽６への注湯を追焚回路６２を介して行っているが、これに限られず、直接浴槽６へと注湯する構成であってもよい。
【００４７】
この熱源装置２では、既述のドレンタンク２６で物質変化処理を行ったドレン１６の排出に、浴槽６に備えられている排水口７６を利用しており、ドレンタンク２６の下部側に設置されたドレン排出管路２８が、追焚回路６２に接続されている。この追焚回路６２にはドレン排出管路２８を接続する切替弁７８が設置されており、この切替弁７８を切替えることにより、追焚回路６２、追焚循環ポンプ６６、浴槽６及び排出口７８等がドレン排出手段を構成することになる。
【００４８】
熱源装置２の燃焼手段として、給湯燃焼室４には給湯バーナ８０が設置され、追焚燃焼室８には追焚バーナ８２が設置されている。そして、この燃焼手段への燃料ガスＧの供給手段として、燃料ガス管８４が設置されている。この燃料ガス管８４には、元ガス電磁弁８６及びガス比例弁８８が設置され、熱源装置２への燃料ガスＧの供給量を調整している。また、給湯燃焼室４側には切替電磁弁９０、ガス電磁弁９２、切替電磁弁９４が設置され、追焚燃焼室８側にはガス電磁弁９６が設置されており、各バーナ８０、８２への燃料ガスＧの供給量を調整している。
【００４９】
給湯燃焼室４及び追焚燃焼室８には、それぞれ燃焼用の空気を導くファン９８、１００が設置されている。その他、給湯燃焼室４には、バーナ８０の炎検出により、燃焼中か否かを判断する炎検出センサ１０２として、例えばフレームロッドが設置されている。
【００５０】
この熱源装置２には、給湯や浴槽水の追焚等の運転制御の他、後述するドレン１６の物質変化処理、排出処理、ドレン１６の発生抑制処理等を制御する制御装置１０４が設置されている。そして、この制御装置１０４は、外部リモコン装置１０６と接続されている。この外部リモコン装置１０６は、例えば、浴槽６が設置されている浴室内や給湯を行う台所等に設置されるものであり、図１では１つのみを図示しているが、複数個を接続することが可能である。この外部リモコン装置１０６は、熱源装置２に対する温度の設定等の設定入力手段であるとともに、熱源装置２の運転状態等を出力する状態出力手段でもある。
【００５１】
次に、ドレンタンクの構成について、図２を参照する。図２は、ドレンタンク２６の内部構成を示す図である。図１と同一部分には同一の符号を付してある。
【００５２】
既述のように、ドレンタンク２６は、熱交換により発生したドレン１６を回収し、排出処理のタイミングになるまで溜めるとともに、その回収したドレン１６を内部で物質変化させる処理手段である。
【００５３】
このドレンタンク２６には天井側に流入口１０８が設けられており、例えば、中和器２２で中和処理されたドレン１６が、流入口１０８からドレンタンク２６の内部へと流入される。ドレンタンク２６の底部側には、ドレン排出管路２８側へと流すための排出口１１０が設けられているとともに、その側面上部側には、オーバーフローを防止するためのオーバーフロー口１１２が設置されている。
【００５４】
また、このドレンタンク２６の内部には、回収したドレン１６の処理手段として、所定量の触媒物質である麦飯石１１４が装填されている。さらに、ドレン１６を攪拌する攪拌手段として、ドレンタンク２６の天井側と底部側とに循環口１１６、１１８を設け、ドレン１６を循環させる攪拌循環路１２０を設置するとともに、攪拌処理の動力源として、循環ポンプ１２２が設置されている。
【００５５】
ドレンタンク２６内の一部には、ドレン１６の水位検出手段として、例えば、３本の電極からなる水位センサ１２４が設置されている。水位センサ１２４には、３本の電極の中、最長の電極としてＣＯＭ１２６が設置され、ＣＯＭ１２６と同程度の長さを持ち、ドレンタンク２６内のドレン１６の有無を検出する水位センサ（Ｌ）１２８と、オーバーフロー直前の水位、即ち、ドレンタンク２６の満水状態を検出するとともに、後述するドレン発生抑制の開始水位を検出する水位センサ（Ｈ）１３０とが設置されている。このような構成において、ＣＯＭ１２６と、水位センサ（Ｌ）１２８又は水位センサ（Ｈ）１３０との導通により、ドレンタンク２６内の水位を検出する。また、ＣＯＭ１２６、水位センサ（Ｌ）１２８及び水位センサ（Ｈ）１３０の各電極と麦飯石１１４との接触防止のため、例えば、網状の仕切り１３２が設置されている。
【００５６】
斯かる構成により、後述するドレン１６の物質変化処理に移行すると、このドレンタンク２６では、循環ポンプ１２２が作動し、ドレン１６を攪拌循環路１２０内に循環させる。これにより、ドレン１６中に含まれているホルムアルデヒドは、麦飯石１１４が触媒となって多糖に物質変化する。また、ドレン１６を攪拌することでホルムアルデヒドの物質変化を促進させる。
【００５７】
また、このドレンタンク２６は、図２に示すように、底部側に段差を設け、排出口１１０よりも循環口１１８の方が低い位置に配置されており、ドレン１６の排出処理を行ってもドレン１６の一部が滞留する滞留部１３４が構成されている。そして、この滞留部１３４にも麦飯石１１４が装填されている。
【００５８】
ドレン１６の物質変化処理が完了したら、後述するドレン排出タイミングの到来により、ドレンタンク２６からドレン１６の排出を行うが、この場合、滞留部１３４には処理済みのドレン１６の一部を排出せず、滞留させることになる。このように処理済みドレン１６の一部をドレンタンク２６内に滞留させるのは、一旦、ホルムアルデヒドから三炭糖に変化した糖は、更なる物質変化により、四炭糖、五炭糖へと著しく反応を促進する性質がある。そこで、新たに溜められるドレン１６に含まれるホルムアルデヒドに対して、この反応促進効果、所謂フォルモース反応が期待できるためである。
【００５９】
上記のホルムアルデヒドから糖質への物質変化に関する化学式の例は以下のようになる。
【００６０】
【数１】
2009150605.tif 000003
【００６１】
このように、ドレン１６に含まれるホルムアルデヒドを糖質に変化させることで、ドレン１６の排出に浴槽６等を利用する場合に、有害物質が混入するのを防止することができる。
【００６２】
次に、熱源装置の動作制御等を行う制御部の構成について、図３を参照する。図３は、制御装置の構成を示す図である。図３において、図１と同一部分については同一符号を付してある。
【００６３】
制御装置１０４は、マイクロコンピュータ等からなり、プロセッサ１３６、熱源装置２の運転制御等に関するプログラムを記憶する記憶部１３８、ＲＡＭ（Random-Access Memory）１４０で構成されている。この制御装置１０４には、ドレンタンク２６に設置された水位センサ（Ｌ）１２８、水位センサ（Ｈ）１３０や、追焚回路６２に設置された風呂水位センサ７４、流水スイッチ６８の他、その他のセンサ類として、流水センサ３４、入水温センサ３６、風呂入温度センサ７０、風呂出温度センサ７２等、給湯バーナ８０の燃焼状態を検出する炎検出センサ１０２からの検出信号が入力され、また、熱源装置２の運転制御に基づいて、ドレン排出路の切替えを行う切替弁７８、ドレン１６の発生抑制を行う流量切替弁４０、ドレンタンク２６内のドレン１６の攪拌を行う循環ポンプ１２２、追焚回路６２内に浴槽水等を流す追焚循環ポンプ６６、熱源装置２の運転制御についての計時手段であるタイマ１４２やその他の機能部品等へと制御指示を出力する。
【００６４】
プロセッサ１３６は、例えば、ＣＰＵ（Central Processing Unit ）等で構成され、記憶部１３８に格納されている動作制御のプログラムを実行する。
【００６５】
記憶部１３８は、ＲＯＭ（Read-Only Memory）で構成され、例えば、ＯＳ（Operating System）や後述するドレン１６の物質変化処理やドレン発生抑制制御に関するプログラムの他、各種の設定値、データ等が格納されている。また、ＲＡＭ１４０は、各種演算処理を行う処理領域として機能する。
【００６６】
また、既述のように、この制御装置１０４は、外部リモコン装置１０６の制御部１４４と有線又は無線により接続されている。この外部リモコン装置１０６には、例えば、プロセッサ等からなる制御部１４４、操作部１４６、表示部１４８及び警報部１５０が備えられている。制御部１４４は、例えばＣＰＵ、ＲＯＭ、ＲＡＭ等で構成されており、操作部１４６で入力された動作指示に応じて制御装置１０４へとその指示を送信する他、表示部１４８に熱源装置２の動作状態を表示したり、警報部１５０により警告報知を行う構成である。
【００６７】
次に、熱源装置２のドレンに対する物質変化処理及び排出処理について、図４、図５、図６及び図７を参照する。図４は、熱源装置の運転制御に関するフローチャートであり、また、図５は、第１の実施の形態に係る、ホルムアルデヒドの物質変化処理を示すフローチャートであり、図６は、第１の実施の形態に係る、熱源装置のドレン排出管理を示すフローチャートであり、図７は、ドレンの排出処理を示すフローチャートである。なお、図４、図５、図６及び図７に示す処理内容は一例であって、これに限られるものではない。
【００６８】
この第１の実施の形態に係る熱源装置２の運転制御は、図４に示すように、熱源装置２の電源が投入されると、機種設定の読み込みや、ＲＡＭ１４０や各部への出力内容の初期化、イニシャルテスト等、イニシャライズ処理を行う（ステップＳ１）。次に、ドレン１６に含まれるホルムアルデヒドの処理（ステップＳ２）、ドレン１６の排出管理処理（ステップＳ３）を実行した後、給湯栓等を開いたか否かの判断を行う（ステップＳ４）。この給湯動作の実行の場合（ステップＳ４のＹＥＳ）には給湯動作制御を行う（ステップＳ５）。
【００６９】
また、この給湯動作制御の実行後、又は給湯動作を行わなかった場合（ステップＳ４のＮＯ）には、例えば、外部リモコン装置１０６の操作部１４６等の操作による自動スイッチの投入等、浴槽管理の実行か否かの判断として、自動湯張りや追焚制御等の浴槽６を使用する処理の実行要求がされているか否かの判断を行う（ステップＳ６）。この浴槽管理の実行が要求されている場合（ステップＳ６のＹＥＳ）、浴槽６への自動湯張りや、追焚実行等、要求に応じた処理を行う。
【００７０】
そして、浴槽管理動作の実行（ステップＳ７）後、又は浴槽管理の実行が要求されていない場合（ステップＳ６のＮＯ）は、熱源装置２に関するその他の制御として、例えば、凍結防止等を実行する（ステップＳ８）。
【００７１】
以上の各運転制御処理は、一旦開始すると終了するまで次のステップに移行しないわけではなく、これらの処理を繰り返し実行する構成である。
【００７２】
次に、図５に示すホルムアルデヒドの処理について説明する。
【００７３】
この処理は、既述の図４のステップＳ２で実行される処理である。熱源装置２では、図１に示すように、潜熱の熱交換により発生したドレン１６を回収してドレンタンク２６に溜める構成であり、ドレン１６の発生は給湯バーナ８０の燃焼及びその熱交換に連動している。一方、回収したドレン１６について、既述のように触媒物質である麦飯石１１４を利用した物質変化処理は、ある程度の時間が必要となる。従って、物質変化処理の実行中に給湯バーナ８０を燃焼させることにより、新たなドレン１６が発生し、それがドレンタンク２６に流入すると、その分、さらに物質変化処理の時間が必要となる。
【００７４】
従って、この実施の形態では、ホルムアルデヒドの物質変化処理中に給湯バーナ８０の燃焼が行われなかった場合、即ち、物質変化処理中のドレンタンク２６内に、新たなドレン１６が混入せず所定時間が経過した場合に、物質変化処理の完了としている。
【００７５】
さらに、物質変化処理が完了する前に、ドレンタンク２６が満水となった場合、物質変化処理はドレン１６の排出を行うために優先して行う処理であるので、バイパス管路３８を利用したドレン１６の発生抑制処理を実行する。
【００７６】
また、この実施の形態では、ドレン１６のホルムアルデヒドの物質変化処理の実行は、ドレン１６の発生元である、給湯バーナ８０が停止しているか否かを開始の条件としている。
【００７７】
まず、制御装置１０４の記憶部１３８等にアクセスし、ドレンタンク２６内に溜められているドレン１６について、物質変化処理が完了し、排出処理の準備が完了しているか否かの確認を行う（ステップＳ１１）。既に排出準備が完了している場合（ステップＳ１１のＹＥＳ）には、この物質変化処理では何も行わず、既述のドレン排出管理（ステップＳ３：図４）に移行する。ドレン１６の排出準備が完了していない場合（ステップＳ１１のＮＯ）、物質変化処理の実行中か否かの判断を行う（ステップＳ１２）。
【００７８】
(1) ドレンの物質変化処理を実行中でない場合の処理
【００７９】
物質変化処理の実行中でない場合（ステップＳ１２のＮＯ）、水位センサ１２４を参照し、ドレンタンク２６内の水位が水位センサ（Ｈ）１３０に達しているか否かの判断を行う（ステップＳ１３）。
【００８０】
ドレン１６が水位（Ｈ）に達している場合（ステップＳ１３のＹＥＳ）には、ドレン１６の発生抑制処理を実行し（ステップＳ１４）、ドレン１６の処理モードに移行する。即ち、ドレンタンク２６が満水状態に達しているため、熱源装置２では、潜熱回収による熱効率の優先状態から、ドレン１６の排出処理の優先状態に移行する。そこで、ドレンタンク２６内に新たなドレン１６が混入するのを防止するため、ドレン１６の発生抑制を行う。ドレン発生抑制処理では、ドレン抑制手段である流量切替弁４０の切替えを行う。既述のように、この流量切替弁４０をドレン抑制処理の状態に切替えると、熱源装置２に供給された上水Ｗに対し、二次熱交換器１２側に流れる上水Ｗの流量を制限し、残りの分をバイパス管路３８側に流すようにする。この場合、二次熱交換器１２側に流す上水Ｗは、例えば、二次熱交換器１２内で上水Ｗが沸騰しない程度に抑えるようにしている。
【００８１】
ドレン発生抑制を開始したら、ドレン１６に含まれるホルムアルデヒドの物質変化処理として、ドレンタンク２６の循環処理を開始する（ステップＳ１５）とともに、物質変化処理の実行時間の計時を開始する（ステップＳ１６）。既述のように、循環ポンプ１２２を動作させるとともに、タイマ１４２による計時を開始させる。
【００８２】
また、ドレンタンク２６内のドレン１６が水位（Ｈ）に達していない場合（ステップＳ１３のＮＯ）、炎検出センサ１０２による検出結果を参照し、給湯バーナ８０が停止中か否かの判断を行う（ステップＳ１７）。
【００８３】
給湯バーナ８０の燃焼が停止している場合（ステップＳ１７のＹＥＳ）には、ドレン１６の処理モードに移行する条件を満たしているとして、ドレンタンク２６内のドレン１６が水位（Ｌ）以上か否かの判断を行う（ステップＳ１８）。このドレン１６の水位検出では、例えば、ドレンタンク２６が排水状態か否かの判断を行っており、水位が水位センサ（Ｌ）１２８に達しない場合にはドレン１６の排水処理中であって、ホルムアルデヒドの物質変化処理を行わないこととしている（ステップＳ１８のＮＯ）。また、ドレン１６の水位が水位センサ（Ｌ）１２８以上の場合（ステップＳ１８のＹＥＳ）には、ステップＳ１５に移行し、ホルムアルデヒドの物質変化処理を行う。
【００８４】
(2) ドレンの物質変化処理を実行中である場合の処理
【００８５】
物質変化処理の実行中の場合（ステップＳ１２のＹＥＳ）、物質変化処理の開始からの経過時間を確認するため、タイマ１４２を参照する。そして、物質変化処理の開始から所定時間Ｔとして、例えば６時間が経過しているか否かの判断を行い（ステップＳ１９）、既に物質変化処理を開始してから所定時間Ｔが経過している場合（ステップＳ１９のＹＥＳ）には、物質変化処理を終了するため、ドレンタンク２６内のドレン１６の攪拌処理を終了させる（ステップＳ２０）。また、記憶部１３８に排出準備完了を通知し、記憶させる（ステップＳ２１）。そして、再びステップＳ１１の処理において、排出準備完了であることが検出されると（ステップＳ１１のＹＥＳ）、ドレン１６の排出処理に移行する。
【００８６】
物質変化処理の開始から所定時間Ｔが経過していない場合（ステップＳ１９のＮＯ）には、その物質変化処理を中断するか否かの判断に移行する。即ち、この実施の形態では、既述のように、燃焼停止中の場合にドレン１６に含まれるホルムアルデヒドの物質変化処理を実行し、その処理が完了する前に新たなドレン１６がドレンタンク２６内に混入する場合には、物質変化処理をやり直す。
【００８７】
この場合、まず、現時点で実行されている物質変化処理が、ドレンタンク２６の水位に起因して開始されたものか否かを判断するため、ドレンタンク２６内の水位が水位センサ（Ｈ）１３０に達しているか否かの判断を行う（ステップＳ２２）。即ち、ステップＳ１３の判断によりドレンタンク２６の水位が満水であり、ドレン発生抑制処理（ステップＳ１４）の実行中である場合には、給湯バーナ８０が燃焼中であってもドレン１６が新たに混入することが無く、また、ドレン１６の排出処理を優先して行う必要があるため、ドレンタンク２６が水位（Ｈ）以上の場合（ステップＳ２２のＹＥＳ）には、物質変化処理を続行させる。
【００８８】
また、ドレンタンク２６が水位（Ｈ）に達しない場合（ステップＳ２２のＮＯ）、即ち、実行中の物質変化処理がドレンタンク２６の水位に起因しない場合には、炎検出センサ１０２により、給湯バーナ８０が停止中か否かの判断を行う（ステップＳ２３）。この判断により、給湯バーナ８０が停止中であれば（ステップＳ２３のＹＥＳ）、物質変化処理を継続させる。また、給湯バーナ８０が燃焼を開始した場合には（ステップＳ２３のＮＯ）処理モードを解除し、ドレンタンク２６内のドレン１６の循環（攪拌）処理を停止（ステップＳ２４）するとともに、タイマ１４２を停止させて、物質変化処理の計時を停止する（ステップＳ２５）。
【００８９】
次に、図６に示す、熱源装置２のドレン排出管理について説明する。
【００９０】
このドレン１６の排出管理は、図４のステップＳ３に示す処理内容である。
【００９１】
ドレンタンク２６内のドレン１６に対するホルムアルデヒドの物質変化処理が完了し、ドレン１６の排出準備が完了したか否かの判断を行う（ステップＳ３１）。従って、例えば、記憶部１３８内を参照し、ドレン１６に対する物質変化処理の終了による排出準備完了の記録やフラグ等が記憶されているか否かを判断する。そして、排出準備が完了していない場合（ステップＳ３１のＮＯ）には、ドレン排出管理を終了する。
【００９２】
また、ドレン１６の排出準備が完了している場合（ステップＳ３１のＹＥＳ）には、ドレン１６を熱源装置２から排出するドレン排出処理を行う（ステップＳ３２）。このドレン排出処理では、物質変化処理を施したドレン１６について、浴槽８の排水処理タイミングに合わせて排出させる処理を示している。
【００９３】
このように、ドレン１６の排出処理が終了したら、記憶部１３８に記憶されている排出準備完了の記憶を消去して（ステップＳ３３）、次回のドレン１６に対する物質変化処理に備える。また、ドレン１６の排出処理終了に伴い、再び熱効率向上のため、ドレン１６の発生抑制処理を解除し（ステップＳ３４）、二次熱交換器１２側へと上水Ｗの供給を再開させ、ドレン１６の排出管理を終了する。
【００９４】
次に、図７に示す、ドレン排出処理を説明する。
【００９５】
このドレン排出処理は、図６のステップＳ３２に示す処理であり、例えば、ドレンタンク２６内に排出準備の完了したドレン１６を溜めておき、浴槽６内の排水口７６を開状態とした場合に、浴槽水ＢＷの水位変化を風呂水位センサ７４が検知し、制御装置１０４に対して、その風呂水位変化の検出が送信される。そして、その水位変化の検出に応じて、又は水位変化が所定時間継続したことを以って、浴槽６が排水状態となっていることを確認した後、ドレン１６の排出処理を行う。
【００９６】
ドレン排出処理では、制御装置１０４からの制御指示により切替弁７８を切り替え（ステップＳ４１）、追焚回路６２とドレン排出管路２８とを接続し、浴槽６側へのドレン１６の排出路を形成する。
【００９７】
切替弁７８を切り替えた後、追焚循環ポンプ６６を駆動させ（ステップＳ４２）、ドレンタンク２６から浴槽６へとドレン１６の排出を開始する。
【００９８】
ドレン１６の排出は、ドレンタンク２６内の水位センサ１２４により監視されており、ドレン１６の水位が水位（Ｌ）１２８以下となるまで行われる（ステップＳ４３）。
【００９９】
そして、水位センサ（Ｌ）１２８以下になったと判断された場合（ステップＳ４３のＮＯ）には、追焚循環ポンプ６６を停止させる（ステップＳ４４）とともに、切替弁７８を切り替え（ステップＳ４５）、追焚回路６２を浴槽６に接続し、ドレン排出路を解除する。
【０１００】
なお、このドレン排出処理において、ドレン１６の排出処理に合わせて、例えば、注湯管路５４から追焚回路６２へと湯ＨＷを注湯して、追焚回路６２内に付着し、残留しているドレン１６を洗浄するようにしてもよい。
【０１０１】
斯かる構成により、給湯バーナ８０の燃焼停止中、即ち、給湯装置２が不使用時にドレン１６に対する物質変化処理を行うので、熱源装置２の使用を妨げることなくホルムアルデヒドの物質変化を実行できるとともに、このように継続的に物質変化処理を実行するため、浴槽６の排水時にドレン１６の排出準備を完了させておくことができ、確実にドレン１６の排出が可能となる。また、ドレン１６に対する物質変化処理中に新たなドレン１６が混入した場合には物質変化処理をやり直す構成であり、さらに、ドレンタンク２６が満水状態になった場合には、ドレン１６の発生抑制を行うことで、ドレンタンク２６内に新たにドレン１６を混入させず、必要時間が経過した後にドレン１６の排出処理を行うことで、物質変化処理の時間を確保でき、ホルムアルデヒドの物質変化を確実に行うことができるので、浴槽水ＢＷに有害物質が混入するのを防止できる。
【０１０２】
〔第２の実施の形態〕
【０１０３】
次に、本発明の第２の実施の形態に係る熱源装置について、図８及び図９を参照する。図８は、第２の実施の形態に係る熱源装置のホルムアルデヒドの物質変化処理を示すフローチャートであり、図９は、第２の実施の形態に係るドレン排出管理を示すフローチャートである。図８及び図９に示す具体的な処理内容及びその順序等は、本発明の実施形態の一例を示すものであって、これに限定されるものではない。
【０１０４】
この実施の形態に係る熱源装置２の構成は、第１の実施の形態と同様であり、熱源装置２の構成、ドレンタンク２６の構成、制御装置１０４の構成及び熱源装置２の制御処理については図１〜図４と同様であり、説明は省略する。
【０１０５】
この実施の形態では、ホルムアルデヒドの物質変化処理のタイミングについて、熱源装置２の使用頻度が低い時間帯に合わせて実行する構成である。即ち、ドレン１６の発生は給湯バーナ８０の動作によるものである。また、ドレン１６に含まれるホルムアルデヒドの物質変化処理には一定の時間を要し、この処理中に新たなドレン１６がドレンタンク２６内に混入すると、物質変化処理をやり直す必要がある。そこで、熱源装置２の使用頻度が低い時間帯として予め設定された時間帯に物質変化処理を行うこととしている。また、ドレン排出管理の物質変化処理に関し、浴槽６の排水時刻に応じて次回の物質変化処理の実行開始時刻を決定する構成である。
【０１０６】
まず、制御装置１０４の記憶部１３８等にアクセスし、ドレンタンク２６内に溜められているドレン１６について、物質変化処理が完了し、排出処理の準備が完了しているか否かの確認を行う（ステップＳ５１）。排出準備が完了していない場合（ステップＳ５１のＮＯ）には、現在物質変化処理中か否かの判断に移行する（ステップＳ５２）。
【０１０７】
(1) ドレンの物質変化処理を実行中でない場合の処理
【０１０８】
物質変化処理を実行中でない場合（ステップＳ５２のＮＯ）、次の物質変化処理モードへの移行条件の判断として、現在の時刻が、所定時刻Ｔ１として例えば、深夜の０時であるか否かの判断を行う（ステップＳ５３）。この開始時刻の設定は、既述のように、熱源装置２の使用頻度が低い時間帯であり、かつ、物質変化処理に必要な時間を確保するように設定している。
【０１０９】
所定時刻Ｔ１である場合（ステップＳ５３のＹＥＳ）には、ドレンタンク２６内の水位が水位センサ（Ｌ）１２８以上か否かの判断を行い（ステップＳ５４）、物質変化処理をすべきドレン１６がドレンタンク２６内にあるか否かを判断する。そして、ドレンタンク２６内の水位が水位センサ（Ｌ）１２８以下の場合（ステップＳ５４のＮＯ）には、物質変化処理モードを終了させる。また、水位センサ（Ｌ）１２８以上の場合（ステップＳ５４のＹＥＳ）には、物資変化処理モードに移行するため、ドレン１６の発生抑制を行う（ステップＳ５５）。このドレン発生抑制処理は、物質変化処理中に新たなドレン１６がドレンタンク２６内に混入するのを防止するためであり、第１の実施の形態と同様の処理であるので説明を省略する。また、このドレン発生抑制処理は、ドレン１６の排出処理が行われるまで継続させる。
【０１１０】
そして、ドレンタンク２６内のドレン１６を攪拌（循環）するため、循環ポンプ１２２の駆動を開始する（ステップＳ５６）。また、物質変化処理の処理時間を計時するためのタイマ１４２をスタートさせる（ステップＳ５７）。
【０１１１】
また、物質変化処理モードへの移行時刻条件である所定時刻Ｔ１になっていない場合（ステップＳ５３のＮＯ）には、ドレンタンク２６内が満水か否かの確認として、ドレン１６が水位センサ（Ｈ）１３０まで達しているかを確認する（ステップＳ５８）。そして、ドレン１６が水位センサ（Ｈ）１３０まで達していない場合（ステップＳ５８のＮＯ）には、物質変化処理を終了し、水位センサ（Ｈ）１３０まで達している場合（ステップＳ５８のＹＥＳ）には、ステップＳ５５のドレン発生抑制処理に移行し、物質変化処理を行う。この場合、例えば、物質変化処理の実行がドレンタンク２６の満水状態によるものであることを記憶部１３８やＲＡＭ１４０等に記憶させる。
【０１１２】
(2) ドレンの物質変化処理を実行中の場合の処理
【０１１３】
ドレン１６に対する物質変化処理中である場合（ステップＳ５２のＹＥＳ）は、制御装置１０４のタイマ１４２を参照して、第１の時間条件として、物質変化処理の開始から所定時間Ｔ２として例えば、６時間以上が経過しているか否かを確認する（ステップＳ５９）。所定時間Ｔ２を経過していない場合（ステップＳ５９のＮＯ）には、引き続き物質変化処理を継続させ、所定時間Ｔ２を経過している場合（ステップＳ５９のＹＥＳ）は、循環ポンプ１２２を停止させて、ドレン１６の攪拌を停止させる（ステップＳ６０）。そして、例えば、制御装置１０４の記憶部１３８等に排出準備完了を記憶させる（ステップＳ６１）。
【０１１４】
(3) 物質変化処理終了後の処理
【０１１５】
ドレン１６の排出準備が完了している場合（ステップＳ５１のＹＥＳ）、タイマ１４２を参照し、第２の時間条件として、物質変化処理の開始時刻の開始から所定時間Ｔ３として例えば、１０時間以上が経過しているか否かの判断を行う（ステップＳ６２）。この第２の時間条件は、物資変化処理が終了しているにもかかわらず浴槽６が排水にならない状態が継続している場合に、いつまでもドレンの発生抑制処理を継続させないための条件である。
【０１１６】
そこで、まだ所定時間Ｔ３を経過していない場合（ステップＳ６２のＮＯ）には、そのまま浴槽６が排水状態となるまで待機させ、既に所定時間Ｔ３を経過している場合（ステップＳ６２のＹＥＳ）には、タイマ１４２を停止するとともに、その計時した値を初期化する（ステップＳ６３）。
【０１１７】
次に、制御装置１０４の記憶部１３８等にアクセスし、今回実行された物質変化処理が、ドレンタンク２６の水位によるものか否かの記憶を確認する（ステップＳ６４）。即ち、ドレンタンク２６が水位センサ（Ｈ）１３０に達したか否かを判断する。これにより、ドレンタンク２６内が満水であって、これ以上ドレン１６を溜めることができない場合（ステップＳ６４のＹＥＳ）には、浴槽６に排水可能か否かの判断として、浴槽６内に残水が有るか否かの判断を行う（ステップＳ６５）。この浴槽６内の残水の有無は、例えば追焚回路６２に設置された追焚循環ポンプ６６を駆動させ、その追焚回路６２内のドレン１６の流れを流水スイッチ６８で確認している。
【０１１８】
浴槽６内に残水が有る場合（ステップＳ６５のＹＥＳ）には、ドレン１６の発生抑制を継続し、また残水が無い場合（ステップＳ６５のＮＯ）には、図７に示すドレンの排出処理（ステップＳ６６）を行った後、記憶部１３８等に記憶されている排出準備完了の記憶を消去し（ステップＳ６７）、ドレン１６の発生抑制処理も解除する（ステップＳ６８）。
【０１１９】
また、ドレンタンク２６内にドレン１６を溜めることが可能な場合、即ち、今回の物質変化処理がドレンタンク２６内の水位によるものでは無い場合（ステップＳ６４のＮＯ）には潜熱回収を可能にするため、ステップＳ６７に移行する。
【０１２０】
なお、物質変化処理の開始から所定時間Ｔ３が経過した場合には、熱源装置２の使用者に対して排水を促すため、外部リモコン装置１０６の表示部１４８や警報部１５０にその旨を報知するようにしてもよい。
【０１２１】
また、物質変化処理の実行がドレンタンク２６の水位条件による場合（ステップＳ６４のＹＥＳ）において、浴槽６内に残水が有る場合（ステップＳ６５のＹＥＳ）には、上記の警告報知の他、ステップＳ６３のタイマ１４２の初期化処理の回数をカウントしておき、そのカウント数に応じて、ドレン１６の強制排出を行うようにしてもよい。
【０１２２】
次に、図９に示すドレン排出管理について説明する。
【０１２３】
このドレン排出管理は、図４のステップＳ３に示す処理であり、ドレン１６の排出処理の他、物質変化処理の開始時刻の決定等を行っている。既述のように、ドレン１６は、浴槽６の排水タイミングに応じて排出を行っている。また、熱源装置２では、ドレン１６に対するホルムアルデヒドの物質変化処理中、新たに発生したドレン１６をドレンタンク２６内に混入させないために、潜熱の回収を中止するドレン発生抑制を行っている。そこで、このドレン排出管理では、ドレン発生抑制による熱効率低下時間をできる限り短くするため、熱源装置２の使用状況に応じて物質変化処理の開始時刻を決定するようにしている。
【０１２４】
ドレン１６の排出は、浴槽水ＢＷの排水タイミングに合わせて行うので、浴槽６が排水を実施しているか否かの検出を行う（ステップＳ７１）。浴槽水ＢＷの排水の確認は、まず浴槽水の減少による水位低下を風呂水位センサ７４により検出する。その後、追焚循環ポンプ６６を駆動させ、浴槽水の水位が循環アダプタ６４を下回ることによる追焚回路６２内の流水の有無を流水スイッチ６８で判断する。以上により、浴槽６内の排水栓が抜かれて排水が行われているか否かを判断する。
【０１２５】
浴槽水の排水が行われていない場合（ステップＳ７１のＮＯ）には、ドレン排出管理を終了させる。また、排水が行われている場合（ステップＳ７１のＹＥＳ）には、記憶部１３８等を参照し、ドレン１６の排出準備が完了したことが記録されているか否かの確認を行う（ステップＳ７２）。
【０１２６】
(1) ドレンの排出準備が完了している場合の処理
【０１２７】
ドレン排出準備が完了している場合（ステップＳ７２のＹＥＳ）には、ドレンタンク２６内の水位に起因した排出準備か否かの判断を行う（ステップＳ７３）。即ち、既述した図８に示す物質変化処理について、ドレンタンク２６が水位センサ（Ｈ）１３０に達したことにより物質変化処理に移行したか否か（ステップＳ５８）を判断する。これにより、ドレン１６が所定水位以上の場合の排水準備が完了した場合（ステップＳ７３のＹＥＳ）には、物質変化処理モードへの移行時刻条件として設定されている所定時刻Ｔ１を維持する。
【０１２８】
また、ドレン１６の水位に起因しないで排出準備が完了した場合（ステップＳ７３のＮＯ）、即ち、ドレンタンク２６内が満水状態となる前に物質変化処理の所定時刻Ｔ１となった場合（図８のステップＳ５４のＹＥＳ）には、次回の物質変化処理の開始時刻を決め直す（ステップＳ７４）。所定時刻Ｔ１の時点において、まだドレンタンク２６にドレン１６を溜めることが可能であったと判断できる。そこで、この開始時刻の決定（ステップＳ７４）では、浴槽６の排水栓を抜いたタイミングから次の物質変化処理の開始時刻を決めることとしている。例えば、タイマ１４２によりステップＳ７１の浴槽水の排水実施が行われた時刻情報を取得する。そして、この取得した時刻情報を参照し、物質変化処理に要する所定時間Ｔ２が確保できる時刻を算出して、次回の物質変化処理の開始時刻に決定する。
【０１２９】
この処理モードへの移行開始時刻の決定処理（ステップＳ７４）について、具体的な例を挙げて説明すると、例えば、前回の物質変化処理の開始時刻が深夜の０時に設定され、浴槽６の排水実施が翌朝の午前１０時に行われたとする。この場合、物質変化処理に最低限必要な所定時間Ｔ２を６時間とすれば、次回の物質変化処理は、排水が行われた午前１０時から逆算して、６時間前の午前４時を開始時刻に設定し直す。
【０１３０】
以上のように、物質変化処理の開始時刻を物質変化処理に必要な時間を維持しつつ、
排水の時刻を基準にして決定することで、ドレン発生抑制の実行時間を可能な限り短くし、潜熱回収による熱効率の向上を図ることができる。
【０１３１】
そして、ドレンタンク２６の水位に起因して排水準備が完了した場合（ステップＳ７３のＹＥＳ）及び開始時刻の決定を行った場合（ステップＳ７４）には、既述の図７に示すドレン排出処理を行い（ステップＳ７５）、記憶部１３８に記憶されている排出準備完了の記憶を消去する（ステップＳ７６）とともに、ドレン発生抑制処理を解除する（ステップＳ７７）。また、必要に応じ、給湯側から追焚回路６２側へと注湯して配管洗浄を行うようにしてもよい（ステップＳ７８）。
【０１３２】
(2) ドレンの排出準備が完了していない場合の処理
【０１３３】
また、ドレン１６の排出準備が完了していない場合（ステップＳ７２のＮＯ）には、現在ドレンタンク２６内が物質変化処理中であるか否かの判断に移行する（ステップＳ７９）。処理中である場合（ステップＳ７９のＹＥＳ）は、この物質変化処理がドレンタンク２６内の水位に起因して開始したものか否かの判断に移行する（ステップＳ８０）。この判断は、既述のステップＳ７３と同様であるので、説明を省略する。
【０１３４】
この判断により、ドレンタンク２６内の水位に起因して物質変化処理を開始した場合（ステップＳ８０のＹＥＳ）には、設定されている物質変化処理の開始時刻Ｔ１をそのまま維持する。
【０１３５】
また、ドレンタンク２６の水位に起因しない場合（ステップＳ８０のＮＯ）や、現在物質変化処理中でない場合（ステップＳ７９のＮＯ）には、物質変化の開始時刻Ｔ１を決め直す（ステップＳ８１）。即ち、これらの場合は、浴槽６の排水が実施されているにも拘らず物質変化処理が実行されておらず（ステップＳ７９）、又は設定されている開始時刻Ｔ１では、浴槽６の排水タイミングに間に合わない（ステップＳ８０のＮＯ）条件となっている。
【０１３６】
開始時刻の決定方法は、既述のステップＳ７４と同様に、浴槽６の排水実施の時刻を基準に、物質変化処理に要する時間Ｔ２を逆算して行う。
【０１３７】
なお、上記の物質変化処理に要する時間Ｔ２は、一例であってこれに限定されず、例えばドレン１６に含まれるホルムアルデヒドの濃度に応じて変更可能であり、任意に決定可能にしてもよい。また、物質変化処理の開始時刻の決定（ステップＳ７４、ステップＳ８１）では、物質変化処理に要する最低限の時間Ｔ２を用いて算出を行う方法を例示したが、所定時間Ｔ２にα時間を足して算出するようにしてもよい。
【０１３８】
また、上記の例では物質変化処理の開始時刻の決定を毎回行う構成としているが、例えば、浴槽６の排水実施時刻について、１週間、１ケ月等で平均を取り、この平均値を利用して開始時刻の決定を行うようにしてもよい。
【０１３９】
斯かる構成により、ドレン１６の排出処理を所定の時刻条件に応じて実行し、また、熱源装置２の使用時間帯に応じて、物質変化処理の実行開始時間を決定することで、物質変化処理の実行時間を確保することができる。また、物質変化処理の開始から所定時間が経過した場合には、ドレンの排出に拘らずドレン発生抑制を解除することや、また、浴槽６の排水実行時刻を基準に物質変化処理の開始時刻を決定することで、物質変化処理の時間を確保しつつ、ホルムアルデヒドの物質変化を確実に行って浴槽への有害物質の混入を防止するとともに、熱効率の低下を最小限に抑えることができる。
【０１４０】
〔その他の実施の形態〕
【０１４１】
(1) 上記実施の形態における熱源装置２では、ドレンタンク２６内の半分以上の高さまで触媒物質である麦飯石１１４を装填した構成であるが、これに限られず、図１０に示すように、麦飯石１１４を所定の容器に装填した触媒ボックス１６０を構成し、これをドレン１６の攪拌循環路１２０に設置する構成としてもよい。斯かる構成によれば、ドレンタンク２６を小型化することもでき、また、水位センサ１２４と触媒物質が接触することが無いので、仕切り１３２が不要となるので、ドレンタンク２６の構成を簡易化することができる。
【０１４２】
(2) また、上記ドレンタンク２６について、滞留部１３４にのみ触媒物質を装填する構成としてもよい。即ち、麦飯石１１４は物質変化を促す触媒物質であり、ドレン１６が循環中に確実に接触する位置に配置すればよいので、ドレン１６の循環流路に応じた位置に麦飯石１１４を配置すれば、上記のように物質変化処理を行うことが可能である。
【０１４３】
(3) 上記実施の形態では、ドレンタンク２６に設置した攪拌手段について、攪拌用の循環ポンプ１２２を設けているが、これに限られず、攪拌循環路１２０を追焚回路６２の一部を利用して形成し、追焚循環ポンプ６６を利用して、ドレン１６の攪拌を行う構成としてもよい。
【０１４４】
(4) 上記実施の形態では、ドレン１６の排出に浴槽６内の排水口７６を利用しているが、これに限られず、例えば、追焚回路６２の浴槽６への戻り側を分岐し、又は循環アダプタ６４でドレン１６を排水側へと流すようにしてもよい。
【０１４５】
(5) 上記実施の形態では、ドレン１６に含まれるホルムアルデヒドの物質変化処理を促す触媒物質として麦飯石１１４を一例として用いているが、これに限られず、ホルムアルデヒドを多糖に物質変化を促す触媒効果がある塩基性触媒や粘土鉱物触媒の他、有害物質を取り込む吸着剤等を用いるようにしてもよい。
【０１４６】
(6) 上記実施の形態では、ドレンタンク２６が１つの場合のみを例示しているが、これに限られず、複数のドレンタンク２６を設置し、１つのドレンタンク２６ａが物質変化処理中に、他のドレンタンク２６ｂにドレン１６を溜めるようにしてもよい。また、１つのドレンタンク２６を分割して複数の区画に分けて用いてもよい。
【０１４７】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１４８】
本発明は、潜熱回収型の熱交換器を利用する熱源装置のドレンに残留する有害物質の物質変化処理に関し、ドレン発生抑制を行い、物質変化処理中に未処理のドレンの混入を防止することで、ドレンの物質変化処理を確実に行うことができ、また、熱源装置の使用頻度が低い時間帯に応じて物質変化処理時間を設定することで、物質変化処理に必要な時間を確保することができる。さらに、浴槽側の排水タイミングに応じて物資変化処理の開始時間を決定でき、ドレン発生抑制の実行時間を最小限に抑えるので、燃焼熱の回収効率の向上を図ることができ、有用である。
【図面の簡単な説明】
【０１４９】
【図１】熱源装置の構成を示す図である。
【図２】ドレンタンクの内部構成を示す図である。
【図３】制御装置の構成を示す図である。
【図４】熱源装置の運転制御に関するフローチャートである。
【図５】第１の実施の形態に係るホルムアルデヒドの物質変化処理を示すフローチャートである。
【図６】第１の実施の形態に係る熱源装置のドレン排出管理を示すフローチャートである。
【図７】ドレンの排出処理を示すフローチャートである。
【図８】第２の実施の形態に係る熱源装置のホルムアルデヒドの物質変化処理を示すフローチャートである。
【図９】第２の実施の形態に係るドレン排出管理を示すフローチャートである。
【図１０】ドレンタンクの変形例を示す図である。
【符号の説明】
【０１５０】
２  熱源装置
４  給湯燃焼室
６  浴槽
１２  二次熱交換器
１６  ドレン
１８  ドレン受け
２０  ドレン管路
２６  ドレンタンク
２８  ドレン排出管路
３８  バイパス管路
４０  流量切替弁
６２  追焚回路
６６  追焚循環ポンプ
６８  流水スイッチ
７６  排水口
７８  切替弁
１０２  炎検出センサ
１０４  制御装置
１１４  麦飯石
１２０  攪拌循環路
１２２  循環ポンプ
１２４  水位センサ
１２８  水位センサ（Ｌ）
１３０  水位センサ（Ｈ）
【図１】
2009150605.tif 000004
【図２】
2009150605.tif 000005
【図３】
2009150605.tif 000006
【図４】
2009150605.tif 000007
【図５】
2009150605.tif 000008
【図６】
2009150605.tif 000009
【図７】
2009150605.tif 000010
【図８】
2009150605.tif 000011
【図９】
2009150605.tif 000012
【図１０】
2009150605.tif 000013